(57)【特許請求の範囲】
【請求項１】
容器の出口開口部用のクロージャであって、
ａ）容器の出口開口部上に組み立てられて出口開口部にシールをもたらす第１の構成要素であり、第２の構成要素に係合して前記クロージャを形成するスナップ構成要素もまた含有する、第１の構成要素と、
ｂ）前記第１の構成要素と組み合わされて、前記容器出口の開部分に直接隣接して配置される分配オリフィスを形成する、前記第２の構成要素と、
ｃ）軸に対して回転し、前記分配オリフィスを開ける前記第２の構成要素のプッシュ運動であって、前記第２の構成要素はシーソー運動で前記軸に対して回転して移動する、前記第２の構成要素のプッシュ運動と、
を含み、
前記分配オリフィスが、前記第２の構成要素の上面上にあり、
前記第２の構成要素が前記第１の構成要素に対して移動する場合、前記第２の構成要素が、前記第１の構成要素に係合して前記分配オリフィスの動作を可能にし、
前記第１の構成要素が、前記容器のネック部の内壁に接触されるように前記ネック部の内側に挿入される筒状体と、前記筒状体の上面に設けられた天板部と、前記天板部に設けられるとともに前記シーソー運動に応じて前記第２の構成要素のシール筒が内側に挿入される開口部と、前記天板部の下方から前記開口部を通って前記天板部の上方まで延在された支持部と、前記支持部の上端に設けられ前記シーソー運動に応じて前記分配オリフィスを開閉するスパッドとを含むシール部を備え、
前記分配オリフィスが閉じられているとき前記シール筒の下端が前記容器の出口の平面下に位置する、
クロージャ。
【請求項２】
前記クロージャが容器の本体に組み込まれる、請求項１に記載のクロージャ。
【請求項３】
前記クロージャが容器本体と一体化される、請求項１又は請求項２に記載のクロージャ。
【請求項４】
前記容器の本体の上部には、凸状の容器肩部と、前記容器肩部に隣接して設けられた凹部とが設けられており、前記クロージャは、前記凹部を埋めるように前記容器の本体の上部に一体化される、請求項１から請求項３までのいずれか１項に記載のクロージャ。
【請求項５】
前記クロージャが軟質材料及び硬質材料を含む、請求項１から請求項４までのいずれか１項に記載のクロージャ。
【請求項６】
前記クロージャが、硬質材料を含むスパッドに対して封着する軟質材料を含むシールを備える、請求項１から請求項５までのいずれか１項に記載のクロージャ。
【請求項７】
前記クロージャが、使用者に前記クロージャをどのように操作するべきかについて方向を提供する触覚的及び／又は視覚的特徴を備え、前記触覚的及び／又は視覚的特徴は、前記軸に直交する方向に直線状に延在された複数の押下方向表示部を備える、請求項１から請求項６までのいずれか１項に記載のクロージャ。
【発明の詳細な説明】
【技術分野】
【０００１】
本発明は、容器の出口開口部用のクロージャに関し、これは、容器の出口開口部上に組み立てられて、出口開口部にシールをもたらす第１の構成要素であり、第２の構成要素に係合してクロージャを形成するスナップ構成要素もまた含有する、第１の構成要素と、第１の構成要素と組み合わされて、容器出口の開部分に直接隣接して配置される分配オリフィスを形成する、第２の構成要素と、軸に対して回転し、分配オリフィスを開ける第２の構成要素の運動と、を含み、第２の構成要素が第１の構成要素に対して移動されてオリフィスの動作を可能にする場合、第２の構成要素は第１の構成要素に係合する。特に、本発明は、１つ以上の要素を備える第１の構成要素に関し、この１つ以上の要素は、シール及び第２の構成要素の後部が容器の出口の平面内又は容器の出口の平面下にあるところにおいて、１つ以上の要素に低い高さ及び低いプロファイルを可能にする特定の並置配列にある。
【背景技術】
【０００２】
分配パッケージ又は容器を含む多様なパッケージが、家庭用製品、パーソナルケア製品、及び他の製品用に開発されてきた。現在では、いくつかのクロージャデザインが店の棚にある。これらは、ディスク／ピボットトップ型、プッシュ・トゥ・オープン型、フリップトップ型、プッシュプル型、ツイスト・トゥ・オープン型、並びにその他多様な型などで全て異なる。これらあらゆるクロージャの現在の欠点は、これらが、消費者を満足させる使いやすさ、可聴／触覚信号、直感、及び人間工学的特徴を考慮に入れていないことである。本発明では、開発される全てのデザインは、消費者の視点を考慮に入れる。全てのクロージャは、一体化されたロッキング特徴で開位置及び閉位置での明瞭さを示す片手操作に対応する。更に、本発明は、パッケージの直立及び倒立の使用を可能にすることができるであろう。それぞれのクロージャは、直感的操作、開位置及び閉位置の明瞭さ、操作するための人間工学、及び操作のためのあらゆる感覚的（可聴、触覚及び視覚）合図の提供を供給するように全体的にデザインされる。更には、本発明は、使用経験ごとの効率まで至らせる消費者の視点に拡大する。
【発明の概要】
【発明が解決しようとする課題】
【０００３】
現在では、大部分のクロージャは容器の形状を完成させるので、クロージャのサイズは、容器の形状に釣り合うことが必要とされる。本発明では、クロージャのサイズが最小限にとどめられるために、いくつかの利点をもたらす。利点の１つは、要求されるクロージャの機能性を可能にするために必要とされる樹脂の最小量にまでクロージャの重量を低減することである。現在、生産業がポリプロピレンリサイクル流を十分に確立していないために、これは、環境に対して有益である。全体のパッケージから低減された重量を有するクロージャにさせることで、容器が改善されたリサイクル性を有することを可能にする。このことが、樹脂、処理加工、ツーリング、射出成型（ＩＭ）機の選択などに関連するコストを含むクロージャの全体のコストも低減する。クロージャのサイズを最小にすることの別の利点は、クロージャが、１つのブランドの範囲内で異なる容器デザインに同一のクロージャを使用することをより帰納的にするデザインにあまり重点を置かないこと、並びに異なるブランド／形状系にわたって同一のクロージャの使用をも可能にすることである。これが最適化及び効率を誘き出し、この見返りに更にコストを低減する。これが、容器の肩部及び角度をクロージャに順応させるなどの追加の特性を使用することなく、形状のシルエットが釣り合って調整されることを更に可能にする。
【０００４】
クロージャサイズを最小にすることのもう１つの利点は、それが容器形状内に一体化され得ることである。容器がその倒立の向きにある場合、一体化されたデザインは、より大きなクロージャを必要とすることに対して、安定性を付加するための容器の上面の使用を許容する。これが、容器デザイン及び開発においてスケールを推進するために、有利である。これが、形態（シャンプー及びコンディショナーなど）間の識別を生み出すことでも役立ち、消費者が探している製品を確認することに役立つ。
【課題を解決するための手段】
【０００５】
容器の出口開口部用のクロージャは、容器の出口開口部上に組み立てられ、出口開口部にシールをもたらす第１の構成要素であり、第２の構成要素に係合してクロージャを形成するスナップ構成要素もまた含有する、第１の構成要素と、第１の構成要素と組み合わされて、容器出口の開部分に直接隣接して配置される分配オリフィスを形成する、第２の構成要素と、軸に対して回転し、分配オリフィスを開ける第２の構成要素の運動と、を含み、第２の構成要素が第１の構成要素に対して移動してオリフィスの動作を可能にする場合、第２の構成要素は第１の構成要素に係合し、並びに第１の構成要素は、１つ以上の要素を備え、これは、シール及び第２の構成要素の後部が容器出口の平面内又は容器の出口の平面下にあるところにおいて、１つ以上の要素に低い高さ及び低いプロファイルを可能にする特定の並置配列にある。
【図面の簡単な説明】
【０００６】
【図１Ａ】クロージャの等角図。
【図１Ｂ】クロージャの平面図。
【図１Ｃ】クロージャの下面図。
【図２】クロージャの分解組立図。
【図３Ａ】図３Ｂで描かれた断面図に関する線を表示する等角図。
【図３Ｂ】クロージャの断面図。
【図４Ａ】開位置におけるクロージャの等角図。
【図４Ｂ】開位置におけるクロージャの正面図。
【図４Ｃ】開位置におけるクロージャの側面図。
【図５】図６に描かれた断面図に関する線を表示する、容器の肩部と一体化したクロージャの等角図。
【図６】図５のクロージャ及び容器の断面図。
【発明を実施するための形態】
【０００７】
本発明は、容器（２）の出口開口部用のクロージャ（１）に関し、このクロージャは、容器の出口開口部上に組み立てられて出口開口にシールをもたらす第１の構成要素（３）であり、第２の構成要素（４）に係合してクロージャ（１）を形成するスナップ構成要素（７）もまた含有する、第１の構成要素と、第１の構成要素（３）と組み合わされ、容器（２）出口の開部分に直接隣接して配置される分配オリフィス（５）を形成する、第２の構成要素（４）と、軸（１１）に対して回転し、分配オリフィス（５）を開けて、容器（２）出口の内部が外部環境に向かうアクセスを可視化するための第２の構成要素（４）の運動と、を備える。この実施形態において、第２の構成要素（４）の運動の非限定的例は、回転の固定軸又は不動点に対するシーソー運動で回転又は移動することであり得る。
【０００８】
本発明の一実施形態では、クロージャ（１）は、容器（１２）の本体に一体化されている。本発明において、クロージャを容量サイズ及び重量で可能な限り小さく構成することによって、これが、片面へのクロージャのオフセットを可能にし、並びに容器肩部（１０）がクロージャ（１）のトップと同一平面になることを可能にし、あるいは更なる実施形態では、クロージャ（１）が肩部間の中心に置かれることを可能にする。このことは、容器本体（１２）の任意の部分内のクロージャ（１）の完全な一体化も可能にする。
【０００９】
本発明の一実施形態において、クロージャ（１）は、第２の構成要素（４）の上面に分配オリフィス（５）を備える。
【００１０】
現在存在するいくつかのディスクトップクロージャがある。このようなディスクトップクロージャは、その全てがクロージャの側面に分配オリフィスを有する。この種のクロージャが開位置又は閉位置のいずれかにある場合、分配された製品がすっかり乾燥してしまうために、使用者はこの構成を好まない。あるいは、本発明において、本発明に記載されるようなクロージャ（１）は、クロージャの側面上にある代わりにクロージャ（１）のトップに直接配置される分配オリフィス（５）を含有する。本発明の構成は、使用者がクロージャ（１）のトップに残ったいかなる残渣もふき取り掃除することを可能にする。
【００１１】
本発明の他の実施形態では、クロージャ（１）は、容器本体（１２）に一体化されている。クロージャ（１）を可能な限り機能的に小さくさせることで、中央に置かれたクロージャ又はクロージャ（１）のオフセットを片面にもたらすことができ、容器肩部（１０）をクロージャの上面と同一平面化させることができる。これは、容器（１）の肩部（複数可）（１０）内のクロージャ（１）の完全な一体化ももたらす。
【００１２】
例えば、倒立の向きにおいて、一体化されたクロージャは、クロージャ（１）が容器の設置面積に調整されることを必要とするよりはむしろ、安定性を付加するための容器本体の使用を可能にする。
【００１３】
本発明の一実施形態において、図５に示すように、クロージャ（１）は、容器の本体に一体化され、クロージャの形状は容器本体（１２）のシルエットを完成させるように働く。倒立の向きにおいて、凹んだクロージャは、容器のトップでのフルサイズのクロージャを必要とすることに対して、むしろ安定性を付加するための容器肩部の使用を可能にする。
【００１４】
本発明の一実施形態において、分配オリフィス（５）が容器出口（２）の開部分に直接隣接して配置され、第２の構成要素（４）が第１の構成要素（３）に対して移動する場合、第２の構成要素（４）が第１の構成要素（３）と係合してオリフィスの動作を可能にし、並びに第１の構成要素（３）が１つ以上の要素／１つ以上の特徴を備え、図６に示すように、シール（１３）が容器（２）の出口の平面内又は容器（２）の出口の平面下にあるなかで、１つ以上の要素に低い高さ／低いプロファイル／狭いプロファイルを可能にする特定の並置配列である。他の実施形態では、クロージャ（１）が閉位置から開位置に移動する場合、第２の構成要素の後部（１４）は、容器（２）の出口の平面の下に乗る。このことは、シール（１３）及び第２の構成要素の後部（１４）のこれら特徴が、典型的にデッドスペースと考えられる位置で配置されることを可能にする。このことが、典型的クロージャよりも著しく低い高さを有するデザインを可能にし、その結果として、クロージャ全体の大幅な重量減少が達成される。これは、大幅な製造コスト低減を可能にするだけではなく、平均的クロージャよりも半分又はそれ以下の時間（小さいエネルギー消費による）及びより少ないグラム重量利用率（廃物の減少による）で製造され得るクロージャを開発することによる環境維持可能性の改善もまた可能にするだろう。
【００１５】
本発明の一実施形態において、第１の構成要素（３）は、容器（２）の出口の直径に関係なく、低い高さ／低いプロファイル／狭いプロファイルを可能にする特定の並置配置にある１つ以上の要素又は１つ以上の特徴を備える。
【００１６】
本発明の一実施形態において、特定の並置配置の高さ又は距離は、容器開口部の直径のサイズに関係なく一定に維持され得る。例えば、小さい容器開口部に必要とされる低いプロファイルは、より大きな容器開口部に対しても一定に維持され得る。
【００１７】
本発明の一実施形態において、第１の構成要素（３）は、１つ以上の封着領域を備え、ネック部の頂部に位置する、又はネック部の最上面若しくはネック部の最上面／表面を超えて容器のネック部の内側で延在するプラグシール（１５）及びテレスコープ式シール（１３）などで、あるいは、これは、ネック部の高さ内に位置するか又は容器のネック部の下に位置し、第１の構成要素の機械的特徴／要素に低い高さ又は低いプロファイル又は狭いプロファイル若しくは同一平面を可能にする。
【００１８】
本発明の他の実施形態では、クロージャ形状は、クロージャを操作するための最適なレバー比を表面に提供する。本発明の一実施形態において、クロージャ（１）は、使用者の片手又は使用者の両手で操作され得る。本発明のクロージャ（１）は、片手又は両手のいずれかを用いることで容易に操作することができる。クロージャ（１）は、湿った手又は乾燥した手のいずれでも使いやすさを可能にするよう意図的に配置された作動点（６）を有する。作動点（６）は、アクセスしやすいように、容器のエッジにできるだけ近接するように配置されてもよい。作動点（６）はまた、湿った手による操作を改善するための材料で共成形されてもよい。
【００１９】
本発明の一実施形態において、クロージャ（１）及びクロージャ（１）に接続された容器（２）は、使用者の片手で保持され、クロージャは片手の１本の指で操作される。一実施形態では、本発明のクロージャは、片手又は両手のいずれかで使用者に容易に操作され得る。クロージャ（１）は、湿った手又は乾燥した手のいずれでも使いやすさを可能にするよう意図的に配置された作動点（６）を有することができる。作動点は、アクセスを容易にするために、容器のエッジにできるだけ近接して配置されてもよい。作動点（６）はまた、湿った手での操作を改善するための別の及び／又は異なる材料で共成形されてもよい。
【００２０】
本発明の他の実施形態では、クロージャ（１）は、シールをもたらし、漏れを防止する軟質材料を含有する。本発明の一実施形態において、クロージャ（１）は、硬質及び軟質材料からなる、スパッド（１６）に対するシールを備えてもよい。本発明の一実施形態では、このシールは、第１の構成要素（３）と第２の構成要素（４）との間の任意の境界面であってもよく、このスパッド（１６）は、分配オリフィス（５）をふさぐ構成要素の一部であってもよい。この実施形態では、分配オリフィス（５）内の軟質様材料は、分配オリフィス（５）とスパッドデザイン（１６）との間の頑強なシールを可能にする。この実施形態では、柔軟な材料はスパッドデザインの形状にぴったり一致することができ、硬質材料構成要素への硬質材料又は逆もまた同様にシール内の硬質材料及びスパッド内の軟質材料に対して、良好なシールを可能にする。本発明の他の実施形態において、クロージャは、機能的性能（封着、人間工学、記憶装置表面上の安定性、使用者用の照準装置、容器耐久性、使用者へのカスタマイズされた触覚信号及び可聴信号並びにこれらの組み合わせ）を改善することができる材料を含んでもよい。
【００２１】
本発明の一実施形態では、クロージャ（１）の熱可塑性エラストマーは、スチレン系ブロックコポリマー、ポリオレフィンブレンド、エラストマーの合金（ＴＰＥ−ｖ又はＴＰＶ）、熱可塑性ポリウレタン、熱可塑性コポリエステル及び熱可塑性ポリアミド並びにこれらの混合物からなる群から選択され得る。
【００２２】
本発明の一実施形態において、クロージャ（１）は、触覚特徴部位（１７）をもたらす熱可塑性エラストマー材料を含んでもよい。クロージャ（１）は、少なくとも１つの材料（硬質材料（８）などの）又は軟質材料（９）で成形されてもよい。ＴＰＥ型材料は、柔らかく、柔軟性のある、又は従順であり、若しくは非平滑化されているクロージャを開閉すると同時に、柔らかな感触で使用者を満足させることができる。
【００２３】
本発明の一実施形態では、クロージャは少なくとも２種の材料を含んでよい。クロージャは、硬質材料（８）（ポリプロピレン（ＰＰ）様樹脂など）及び軟質材料（９）で成形されてもよい。本発明の他の実施形態において、このような硬質材料は、ポリエチレンＰＥ及びポリプロピレンＰＰなどのポリオレフィン樹脂；ポリメチルアクリレートＰＭＡなどのアクリレート；ポリカーボネートＰＣなどのカーボネート；ポリカーボネートＰＣなどのカーボネート；ポリメチルメタクリレートＰＭＭＡなどのメタクリレート；ナイロン６などのアミド；アセタール；アクリロニトリルブタジエンスチレン−ＡＢＳなどのコポリマー；ポリ塩化ビニルＰＶＣなどの塩素化ポリマー；ポリスチレンＰＳなどのスチレン系樹脂；ポリエチレンテレフタレートＰＥＴなどのエステル；ＰＥＴＧなどの変性エステル；デルリンなどのポリホルムアルデヒド；ポリメチルメタクリレートＰＭＭＡなどのメタクリレート；ナイロン６などのアミド；アセタール；アクリロニトリルブタジエンスチレン−ＡＢＳなどのコポリマー；ポリ塩化ビニルＰＶＣなどの塩素化ポリマー；ポリスチレンＰＳなどのスチレン系樹脂；ポリエチレンテレフタレートＰＥＴなどのエステル；ＰＥＴＧなどの変性エステル；及びデルリンなどのポリホルムアルデヒドなどの硬質樹脂であってもよい。このような軟質材料（１９）としては、軟質の射出成形可能な樹脂；熱可塑性エラストマー；スチレン系（ＳＥＢＳ及びＳＢＳ）及びオレフィン系（ＴＰＯ  ＰＰエラストマー）を含めるＴＰＥ；熱可塑性ウレタン（ＴＰＵ）、溶融処理可能なゴムＭＰＲ；熱可塑性加硫ゴム；及びポリ塩化ビニルＰＶＣ並びにこれらの混合物を挙げることができる。本発明の一実施形態では、この軟質様材料は、クロージャを開閉する際に柔らかい感触で消費者を満足させることができる。
【００２４】
本発明の他の実施形態において、シリコーン、及びウレタンゴムなどの射出成形されていない軟質樹脂が用いられてもよい。
【００２５】
本発明の一実施形態では、クロージャが人間工学的デザインを備えてクロージャを開閉するために用いられる力を低減することを補助する。
【００２６】
本発明の一実施形態では、クロージャは流路を備え、容器出口に隣接しないオリフィスを有する、すなわち供給の増大した角度を備え結果的に本発明のクロージャの同じ流速で分配するためにより大きな力を必要とするクロージャと比較する場合、今度はこの流路が分配される流体の流速を改善する。
【００２７】
本発明の一実施形態において、クロージャは可聴音機構（１８）を備えてもよい。このクロージャは、使用者がクロージャを開位置から閉位置に操作すると同時に音を発生するリブなどの機械的な特徴を有する。これが、使用者にクロージャがいつ完全に開かれるか、並びにクロージャが完全に閉じられる場合にいつ固定されるかを知らせる。
【００２８】
本発明の他の実施形態では、クロージャは触覚特徴部位（１７）及び／又は使用者にクロージャをどのように操作すべきかについて方向を提供する可視的特徴を備える。クロージャは、開くためにはどこを押さえるか又は押すかを使用者に知らせるための触覚的及び視覚的合図を組み込んでもよい。
【００２９】
本発明の一実施形態において、クロージャは、非石油系ソースから製造されるバイオポリマー、生分解性ポリマー、リサイクルされた樹脂及びこれらの混合物からなる群から選択される環境維持可能な材料からなることができる。本発明の更に他の実施形態において、クロージャは非石油系ソースからの環境維持可能な材料からなることができ、この非石油系ソースは、バイオ由来のポリエチレン、バイオ由来のポリプロピレン、バイオ由来のポリエステル及びこれらの混合物からなる群から選択される。
【００３０】
本発明の他の実施形態では、クロージャは環境維持可能な材料からなる。このクロージャは、環境維持可能な材料で完全に製造されてもよく、又は第１の構成要素（３）又は第２の構成要素（４）のみが製造されてもよい。このことが、よりリサイクル可能なクロージャを可能にする。使用され得るいくつかの材料は、ＰＣＲ、ＨＤＰＥ、ＬＤＰＥ、Ｂａｍｂｏｏ、ＰＬＡ（ポリ乳酸）、ＰＨＡ（ポリヒドロキシアルカノエート）、及び出発材料が油の代わりに植物又はバイオマスであるバイオ−ポリオレフィン類（バイオ−ＰＥ、バイオ−ＰＰ、バイオ−ＰＥＴ）を含む再生可能樹脂；再加工されるためにゴミから変えられる及び／又はその代わりに再利用される樹脂であるＰＰ  ＰＣＲ（使用済みリグラインド）及びＰＩＲ（脱工業化リグラインド）を含むリサイクルされた又はリサイクル可能な樹脂；プラスチックへの封入のために破砕され、切断され、破壊され、又は粉々にされた鉱物（例えばＣａＣＯ３）、木材、パルプ、紙、竹、草、ケナフ、ガマ、及び他の天然植物を含む天然充填剤；ＰＬＡ（ポリ乳酸）、ＰＨＡ（ポリヒドロキシアルカノエート）、及び出発材料が油の代わりに植物又はバイオマスであるバイオ−オレフィン類（バイオ−ＰＥ、バイオ−ＰＰ、バイオ−ＰＥＴ）を含む再生可能樹脂；再加工されるためにゴミから変えられる及び／又はその代わりに再利用される樹脂であるＰＰ  ＰＣＲ（使用済みリグラインド）及びＰＩＲ（脱工業化リグラインド）を含むリサイクルされた又はリサイクル可能な樹脂；プラスチックへの封入のために破砕され、切断され、破壊され、又は粉々にされた鉱物（例えば、ＣａＣＯ３）、木材、パルプ、紙、竹、草、ケナフ、ガマ、及び他の天然植物を含む天然充填剤；廃棄通貨（例えば、米国ドル紙幣）を含む、充填剤として使用され得るいくつかのリサイクルされたその他の材料である。
【００３１】
環境維持可能な材料は、非石油系ソースから製造されたバイオポリマー、生分解性ポリマー、リサイクルされた樹脂及びこれらの混合物を挙げることができる。本用途に使用され得る潜在的バイオポリマーのいくつかの非限定例は、竹、紙、及び草である。非石油系ソースは、バイオ由来のポリエチレン、バイオ由来のポリプロピレン、バイオ由来のポリエステル及びこれらの混合物からなる群から選択され得る。全ての環境維持可能な材料の一部は、着色剤、帯電防止剤、ＵＶ阻害剤、若しくは外観又は性能を変更するための他の少量の添加剤を含有してもよい。
【００３２】
本発明の他の実施形態において、本発明により製造される容器は、ポリグリコール酸（ＰＧＡ）、コハク酸ポリブチレン（ＰＢＡ）、テレフタル酸系の脂肪族−芳香族コポリエステル、高テレフタル酸含量を有する芳香族コポリエステル、熱可塑性デンプン（ＴＰＳ）、セルロース、又はこれらの混合物からなる群から選択される生分解性ポリマー材料からなる。
【００３３】
本明細書に開示した寸法及び値は、記載された正確な数値に厳密に限定されるものとして理解されるべきでない。むしろ、特に断らない限り、そのような寸法はそれぞれ、記載された値及びその値周辺の機能的に同等の範囲の両方を意味するものとする。例えば、「４０ｍｍ」として開示された寸法は、「約４０ｍｍ」を意味するものとする。
【００３４】
本発明の「発明を実施するための形態」で引用した全ての文献は、関連部分において本明細書に援用するが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００３５】
以上、本発明の特定の実施形態を例示、記載したが、本発明の趣旨及び範囲から逸脱することなく他の様々な変更及び改変を行い得る点は、当業者には明らかであろう。したがって、本発明の範囲に含まれるそのような全ての変更及び改変を添付の特許請求の範囲において網羅するものとする。
【図１Ａ】
0006022468.tif 000002
【図１Ｂ】
0006022468.tif 000003
【図１Ｃ】
0006022468.tif 000004
【図２】
0006022468.tif 000005
【図３Ａ】
0006022468.tif 000006
【図３Ｂ】
0006022468.tif 000007
【図４Ａ】
0006022468.tif 000008
【図４Ｂ】
0006022468.tif 000009
【図４Ｃ】
0006022468.tif 000010
【図５】
0006022468.tif 000011
【図６】
0006022468.tif 000012